(57)【要約】【課題】遮光性が低い外装塗料においても、黒い遮光塗料が透けて見えず、白色塗料の色が透けて見えるため、外装塗料の色調は暗い色調にならず、鮮やかな色調を得ることができる表示体を提供すること。【解決手段】無色透明または有色透明な合成樹脂で成形された母材１と、母材１上に、母材１側から順に積層した光透過性の有色塗料２、遮光塗料３、白色塗料４および非黒色の外装塗料５と、外装塗料５と白色塗料４および遮光塗料３の一部を除去して有色塗料２を露出させて表面に形成され、裏面側からの光によって照射されるた表示部６とを備えている。【選択図】      図１
2005017356.tif 000002
【特許請求の範囲】
【請求項１】
無色透明または有色透明な合成樹脂で成形された母材と、
前記母材上に、該母材側から順に積層した遮光塗料、白色塗料および非黒色の外装塗料と、
前記外装塗料と前記白色塗料および前記遮光塗料の一部を除去して前記母材を露出させて表面に形成され、裏面側からの光によって照射されるた表示部とを備えたことを特徴とする表示体。
【請求項２】
請求項１において、前記母材と前記遮光塗料との間に光透過性の有色塗料を設け、前記表示部には前記有色塗料を露出させたことを特徴とする表示体。
【請求項３】
請求項１又は２において、前記白色塗料がアルミニウム粉末の入った塗料であることを特徴とする表示体。
【発明の詳細な説明】
【０００１】
【発明の属する技術分野】
本発明は、車載電装部品の照光式キートップ、あるいは照光パネル等に使用される表示体に関する。
【０００２】
【従来の技術】
表面に形成された表示部が裏面側からの光によって照光されるようになっている表示体としては、例えば、照光式キートップ、照光パネル等がある。
【０００３】
図４は従来のキートップを示す縦断面図である。図４に示すキートップは、無色透明または有色透明な合成樹脂で成形された母材１上に、光透過性の有色塗料２と遮光塗料３および外装塗料５とを下から順に積層し、しかる後、前記外装塗料５と遮光塗料３の一部をレーザ光で除去して前記有色塗料２を露出させて表示部６を形成してある。７は表示部６の裏面側から照光するランプである。
【０００４】
外装塗料５が淡色の場合、遮光性が低いため遮光塗料３が必要になるが、遮光塗料３はレーザ光での加工性を良好にするためカーボンの入った黒い塗料が一般に使われている。
【０００５】
【公知文献１】
特許第２６９８１５５号公報
【０００６】
【発明が解決しようとする課題】
しかし、上記したように従来技術では、外装塗料５が淡色の場合、遮光性が低いため外装塗料５の下に遮光塗料３を塗装するが、遮光塗料３はレーザでの加工性を良好にするためカーボンの入った黒い塗料が一般的である。
【０００７】
この場合、表面から見ると外装塗料５は透けて中の黒い遮光塗料３が見えるため、暗い色調になってしまい、鮮やかな色調を得ることができず、デザイン的によくなくなかった。
【０００８】
本発明の課題は、遮光性が低い外装塗料においても、黒い遮光塗料が透けて見えず、白色塗料の色が透けて見えるため、外装塗料の色調は暗い色調にならず、鮮やかな色調を得ることができる表示体を提供することである。
【０００９】
【課題を解決するための手段】
本発明は、無色透明または有色透明な合成樹脂で成形された母材と、前記母材上に、該母材側から順に積層した遮光塗料、白色塗料および非黒色の外装塗料と、前記外装塗料と前記白色塗料および前記遮光塗料の一部を除去して前記母材を露出させて表面に形成され、裏面側からの光によって照射されるた表示部とを備えたことを特徴とする。
【００１０】
本発明は、さらに、前記母材と前記遮光塗料との間に光透過性の有色塗料を設け、前記表示部には前記有色塗料を露出させたことを特徴とする。
【００１１】
また、前記白色塗料がアルミニウム粉末の入った塗料であることが好ましい。
【００１２】
上記構成によると、遮光性が低い外装塗料においても、黒い遮光塗料が透けて見えず、中間の白色塗料またはアルミニウム粉末の入った塗料の色が透けて見えるため、外装塗料の色調は暗い色調にならず、鮮やかな色調を得ることができる。
【００１３】
【発明の実施の形態】
以下、本発明に係る表示体を図面を基にして説明する。
【００１４】
図１は本発明の実施の形態に係るキートップの縦断面図、図２は図１に示すキートップの斜視図、図３は変形例を示す縦断面図である。
【００１５】
図１及び図２に示す実施の形態のキートップは、無色透明または有色透明な合成樹脂で成形された母材１と、母材１上に、母材１側から順に積層した光透過性の有色塗料２、遮光塗料３、白色塗料４および非黒色の外装塗料５と、外装塗料５と白色塗料４および遮光塗料３の一部を除去して有色塗料２を露出させて表面に形成され、裏面側からの光によって照射されるた表示部６とを備えている。
【００１６】
表示部６は光透過性の有色塗料２が露出されているため、夜間等でキートップが認識しにくい時、ランプ７を点灯させることにより、表示部６の裏面側からの光によって照射されて表示部６が認識しやすくなっている。
【００１７】
このキートップの製造方法は、無色透明または有色透明な合成樹脂で母材１を形成する。次に、母材１上に光透過性の有色塗料２を塗装する。次に、有色塗料２上に遮光塗料３を塗装し、この遮光塗料３上に白色塗料またはアルミニウム粉末の入った白色塗料４を塗装する。次に、白色塗料４上に非黒色の外装塗料５を塗装する。このようにして、母材１側から順に光透過性の有色塗料２、遮光塗料３、白色塗料４および非黒色の外装塗料５を積層してある。次に、外装塗料５と白色塗料４および遮光塗料３の一部をレーザ光にて除去して有色塗料２を露出させて表面に表示部６を形成する。
【００１８】
外装塗料５の非黒色としては、明るいグレー、白に近いイエローやブルー等の透明性のある有彩色である。
【００１９】
白色塗料４は、黒色の遮光塗料３の色の影響を外装塗料５に与えるのを最小限にし、かつ照光を図れるように、その肉厚は０．００５ｍｍ〜０．０２ｍｍとし、好ましくは０．０１ｍｍである。また、顔料より染料の方が好ましい。この場合、ランプ７は１０〜１００ルックス、有色塗料２の肉厚は０．０１５〜０．０２５ｍｍ、遮光塗料３の肉厚は０．０１〜０．０２ｍｍである。
【００２０】
次に、変形例を図３を参照して説明する。
【００２１】
この変形例が図１に示す前記実施の形態と異なる点は有色塗料２を設けていないところである。
【００２２】
図３に示す変形例のキートップは、有色透明な合成樹脂で成形された母材１と、母材１上に、母材１側から順に積層した遮光塗料３、白色塗料４および非黒色の外装塗料５と、外装塗料５と白色塗料４および遮光塗料３の一部をレーザ光にて除去して母材１を露出させて表面に形成され、裏面側からの光によって照射されるた表示部６とを備えている。
【００２３】
表示部６は有色透明な母材１が露出されているため、夜間等でキートップが認識しにくい時、ランプ７を点灯させることにより、表示部６の裏面側からの光によって照射されて表示部６が認識しやすくなっている。
【００２４】
このキートップの製造方法は、有色透明な合成樹脂で母材１を形成する。次に、母材１上に遮光塗料３を塗装し、この遮光塗料３上に白色塗料またはアルミニウム粉末の入った白色塗料４を塗装する。次に、白色塗料４上に非黒色の外装塗料５を塗装する。このようにして、母材１側から順に遮光塗料３、白色塗料４および非黒色の外装塗料５を積層してある。次に、外装塗料５と白色塗料４および遮光塗料３の一部をレーザ光にて除去して有色透明な母材１を露出させて表面に表示部６を形成する。
【００２５】
前記各実施の形態によれば、遮光性が低い外装塗料５においても、黒い遮光塗料３が透けて見えず、外装塗料５と遮光塗料３との中間にある白色塗料またはアルミニウム粉末の入った白色塗料４の色が透けて見えるため、外装塗料５の色調は暗い色調にならず、鮮やかな色調を得ることができる。
【００２６】
【発明の効果】
本発明によれば、遮光性が低い外装塗料においても、黒い遮光塗料が透けて見えず、外装塗料と遮光塗料との中間にある白色塗料またはアルミニウム粉末の入った塗料の色が透けて見えるため、外装塗料の色調は暗い色調にならず、鮮やかな色調を得ることができる。
【図面の簡単な説明】
【図１】本発明の実施の形態に係るキートップの縦断面図である。
【図２】図１に示すキートップの斜視図である。
【図３】変形例を示す縦断面図である。
【図４】従来のキートップを示す縦断面図である。
【符号の説明】
１    母材
２  有色塗料
３  遮光塗料
４  白色塗料
５  外装塗料
６  表示部
７  ランプ
【図１】
2005017356.tif 000003
【図２】
2005017356.tif 000004
【図３】
2005017356.tif 000005
【図４】
2005017356.tif 000006